(57)【要約】【課題】サージを防止しつつ、収容される可搬型放射線撮影装置が傷つくことを抑制することができる収容装置を提供する。【解決手段】筐体の電子カセッテ１２を収容する収容部４０を構成する面に電子カセッテ１２を保護する導電性の保護部材５０を設ける。【選択図】図５
2012048161.tif 000002
【特許請求の範囲】
【請求項１】
可搬型放射線撮影装置を収容可能な収容部が形成された筐体と、
前記筐体の前記収容部を構成する面に少なくとも設けられ、前記収容部に収容される前記可搬型放射線撮影装置を保護する導電性の保護部材と、
を備えた収容装置。
【請求項２】
前記保護部材は、前記収容部の側面を構成する側壁部の、前記収容部に前記可搬型放射線撮影装置を挿入する際の入口側の面にさらに設けられた
請求項１記載の収容装置。
【請求項３】
前記収容部の側面を構成する側壁部の前記収容部側の角部は、面取りされた
請求項１又は請求項２記載の収容装置。
【請求項４】
前記保護部材は、導電性のゴム、導電性のエラストマー、導電性のプラスチックの何れかを含んで構成された
請求項１〜請求項３の何れか１項記載の収容装置。
【請求項５】
前記筐体の収容部の入口部分に除電ブラシ又は除電ローラをさらに備えた
請求項１〜請求項４の何れか１項記載の収容装置。
【請求項６】
前記除電ブラシ又は前記除電ローラを、前記収容部の側面を構成する側壁部の収容部側の角部に着脱可能に設けた
請求項５記載の収容装置。
【請求項７】
前記除電ブラシ又は前記除電ローラを、収容部に収容されるカセッテを両側から接触するように設けた
請求項５記載の収容装置。
【請求項８】
前記保護部材は、体積固有抵抗値が１０12Ω・ｃｍ以下である
請求項１〜請求項７の何れか１項記載の収容装置。
【発明の詳細な説明】
【技術分野】
【０００１】
本発明は、収容装置に係り、特に、可搬型放射線撮影装置を収容可能な収容部が形成された収容装置に関する。
【背景技術】
【０００２】
近年、ＴＦＴ（Thin Film Transistor）アクティブマトリクス基板上に放射線感応層を配置し、Ｘ線などの放射線を直接デジタルデータに変換できるＦＰＤ（Flat Panel Detector）等の放射線検出器が実用化されており、この放射線検出器を用いて、照射された放射線により表わされる放射線画像を示す画像データを生成し、生成した画像データを記憶する可搬型放射線撮影装置（以下「電子カセッテ」ともいう）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ところで、この電子カセッテを用いた放射線撮影システムには、電子カセッテを保管する場合や充電を行うために収容装置（所謂、クレードル、以下「クレードル」ともいう）が備えられている。
【０００５】
このクレードルは、カセッテを収容可能な収容部が形成されており、カセッテを保管する場合や充電を行う場合などに、収容部内にカセッテが収容される。
【０００６】
ところで、電子カセッテが帯電している場合、電子カセッテをクレードルに収容する際にカセッテとクレードルが接触してサージが発生する場合がある。このサージを防止する技術として、カセッテと接触する接触部材を導電性部材としたり、除電ブラシを設ける技術がある（例えば、特許文献１、２）。
【先行技術文献】
【特許文献】
【０００７】
【特許文献１】特開２０００−２６７２０９号公報
【特許文献２】特開２００４−２６４６０４号公報
【発明の概要】
【発明が解決しようとする課題】
【０００８】
ところで、電子カセッテをクレードルに収容する場合、電子カセッテがクレードルと擦れて電子カセッテの筐体表面が傷つく場合がある。特に、電子カセッテの筐体の撮影面が傷ついた場合、当該傷の影響が撮影される放射線画像におよぶ場合もある。
【０００９】
本発明は上記事実に鑑みてなされたものであり、サージを防止しつつ、収容される可搬型放射線撮影装置が傷つくことを抑制することができる収容装置を提供することを目的とする。
【課題を解決するための手段】
【００１０】
上記目的を達成するために、請求項１に記載の収容装置は、可搬型放射線撮影装置を収容可能な収容部が形成された筐体と、前記筐体の前記収容部を構成する面に少なくとも設けられ、前記収容部に収容される前記可搬型放射線撮影装置を保護する導電性の保護部材と、を備えている。
【００１１】
請求項１によれば、収容装置は、筐体に可搬型放射線撮影装置を収容可能な収容部が形成されている。
【００１２】
そして、筐体の収容部を構成する面に可搬型放射線撮影装置を保護する導電性の保護部材が少なくとも設けられている。
【００１３】
このように、請求項１に記載の発明によれば、筐体の可搬型放射線撮影装置を収容可能な収容部を構成する面に可搬型放射線撮影装置を保護する導電性の保護部材を設けているので、サージを防止しつつ、収容される可搬型放射線撮影装置が傷つくことを抑制することができる。
【００１４】
なお、本発明は、請求項２記載の発明のように、前記保護部材が、前記収容部の側面を構成する側壁部の、前記収容部に前記可搬型放射線撮影装置を挿入する際の入口側の面にさらに設けられてもよい。
【００１５】
また、本発明は、請求項３記載の発明のように、前記収容部の側面を構成する側壁部の前記収容部側の角部が、面取りされることが好ましい。
【００１６】
また、本発明は、請求項４記載の発明のように、前記保護部材が、導電性のゴム、導電性のエラストマー、導電性のプラスチックの何れかを含んで構成されてもよい。
【００１７】
また、本発明は、請求項５記載の発明のように、前記筐体の収容部の入口部分に除電ブラシ又は除電ローラをさらに備えてもよい。
【００１８】
また、請求項５記載の発明は、請求項６記載の発明のように、前記除電ブラシ又は前記除電ローラを、前記収容部の側面を構成する側壁部の収容部側の角部に着脱可能に設けることが好ましい。
【００１９】
また、請求項５又は請求項６記載の発明は、請求項７記載の発明のように、前記除電ブラシ又は前記除電ローラを、収容部に収容されるカセッテを両側から接触するように設けてもよい。
【００２０】
また、本発明は、請求項８記載の発明のように、前記保護部材が、体積固有抵抗値が１０12Ω・ｃｍ以下とする。
【発明の効果】
【００２１】
本発明によれば、サージを防止しつつ、収容される可搬型放射線撮影装置が傷つくことを抑制することができる、という効果が得られる。
【図面の簡単な説明】
【００２２】
【図１】実施の形態に係る電子カセッテ及び収容装置の概略構成を示す図である。
【図２】放射線画像撮影時の電子カセッテの配置を示す概略図である。
【図３】実施の形態に係る電子カセッテの内部構造を示す斜視図である。
【図４】実施の形態に係る収容装置の構成を示す透過斜視図である。
【図５】実施の形態に係る収容装置の構成を示す断面図である。
【図６】実施の形態に係る収容装置に電子カセッテを収容した状態を示す斜視図である。
【図７】他の形態に係る収容装置の底面に設けた端子及び保護部材の配置状態を示す平面図である。
【図８】他の形態に係る電子カセッテの構造を示す斜視図である。
【図９】他の形態に係る収容装置の収容部の入口部分に除電ブラシを設けを構成を示す断面図である。
【図１０】他の形態に係るローラ形状とした除電ブラシを示す断面図である。
【図１１】他の形態に係る電子カセッテに両側から接触するように除電ブラシを設けた収容装置を示す断面図である。
【発明を実施するための形態】
【００２３】
以下、図面を参照して、本発明を実施するための形態について詳細に説明する。なお、ここでは、本発明を、電子カセッテを用いて放射線画像の撮影を行う放射線撮影システムに適用した場合の形態例について説明する。
【００２４】
図１には、本実施の形態に係る放射線撮影システム１０を示す斜視図が示されている。
【００２５】
放射線撮影システム１０は、可搬性を有し、照射された放射線により表わされる放射線画像を示す画像情報を生成する電子カセッテ１２と、電子カセッテ１２が収容可能とされ、収容した電子カセッテ１２を充電する収容装置１８と、を含んで構成されている。
【００２６】
図２に示すように、電子カセッテ１２は、放射線画像の撮影時に、放射線を発生する放射線発生部１４と間隔を空けて配置される。このときの放射線発生部１４と電子カセッテ１２との間は被写体１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被写体１６を透過することで画像情報を担持した後に電子カセッテ１２に照射される。
【００２７】
図３には、本実施の形態に係る電子カセッテ１２の内部構成を示す透過斜視図が示されている。
【００２８】
電子カセッテ１２は、放射線Ｘを透過させる材料から成り厚みを有する平板状の筐体２０によって覆われている。筐体２０のうちの特定の側面には電子カセッテ１２を持ち上げる際に手で持つことできるように把持部６２が設けられている。なお、本実施の形態に係る電子カセッテ１２は、筐体２０に把持部６２が設けられているが、把持部６２が必ずしも設けられているものではない。
【００２９】
筐体２０の内部には、筐体２０のうち放射線Ｘが照射される照射面２２側から順に、被写体１６を透過することに伴って生ずる放射線Ｘの散乱線を除去するグリッド２４、放射線Ｘを検出する放射線検出器２６、及び、放射線Ｘのバック散乱線を吸収する鉛板２８が配設されている。なお、筐体２０の照射面２２をグリッド２４で構成してもよい。また、放射線検出器２６は、例えば、放射線Ｘを直接、セレンを主成分（例えば含有率５０％以上）とする非晶質のアモルファスセレン（ａ−Ｓｅ）から成る半導体層で電荷に変換して蓄積する直接変換方式のものでもよく、放射線Ｘを一度ガドリニウム硫酸化物（ＧＯＳ）やヨウ化セシウム（ＣｓＩ）などのシンチレータで光に変換し、変換した光を電変換素子（フォトダイオード）で電荷に変換して蓄積する間接変換方式のものであってもよい。
【００３０】
また、筐体２０の内部の一端側には、マイクロコンピュータを含む電子回路及び充電可能な二次電池を収容するケース３０が配置されている。放射線検出器２６及び電子回路は、ケース３０に配置された二次電池から供給される電力によって作動する。ケース３０内部に収容された各種回路が放射線Ｘの照射に伴って損傷することを回避するため、ケース３０の照射面２２側には鉛板等を配設しておくことが望ましい。
【００３１】
また、電子カセッテ１２は、収容装置１８に収容された状態で収容装置１８との間で電磁誘導を利用して非接触での充電が可能とされている。電子カセッテ１２は、収容装置１８に収容された際に、電磁誘導により電力が誘起されることによりケース３０に収容されたバッテリに充電を行うことが可能とされている。なお、本実施の形態では、電磁誘導を利用して非接触での充電を行うものとしたが、例えば、収容装置１８に近赤外光ランプを設けてレーザ光を照射し、レーザ光を収容装置１８に設けたフォトダイオードで受光することにより、光エネルギーを利用して非接触での充電を行うものとしてもよい。また、マイクロ波を利用して非接触での充電を行うものとしてもよい。また、磁界共鳴方式により非接触での充電を行うものとしてもよい。この磁界共鳴方式は、共鳴方式であるため，特定の機器にだけ電力を供給することが可能であり、安全性を高められる。また、電界結合の共鳴を使った電界結合方式により非接触での充電を行うものとしてもよい。この電界結合方式は、送電側と受電側を密着させる必要があるものの、水平方向の位置ずれに対応できる上、出力が大きな機器に対しても、接触させる面積を広げるだけで対応できる利点がある。
【００３２】
図４には、本実施の形態に係る電子カセッテ１２を収容した状態の収容装置１８の構成を示す透過斜視図が示され、図５には、本実施の形態に係る収容装置１８の構成を示す断面図が示されている。
【００３３】
収容装置１８は、電子カセッテ１２が収納可能に収容部４０が形成されている。
【００３４】
本実施の形態では、収容装置１８の収容部４０を囲む４つの側壁部４２Ａ〜４２Ｄのうち、収容部４０に電子カセッテ１２が収納された状態で電子カセッテ１２の照射面２２又は当該照射面２２の裏側となる裏面２３と対向する側壁部４２Ａ、４２Ｃを、収容部４０に電子カセッテ１２が収納された状態で電子カセッテ１２の側面側に位置する側壁部４２Ｂ、４２Ｄよりも高く形成している。側壁部４２Ａ、４２Ｃは、収容部４０の底面４４からの高さが、収容部４０に収納された状態の電子カセッテ１２の重心位置よりも高くなるように形成されることが好ましい。これにより、収容部４０に収納された電子カセッテ１２が安定する。
【００３５】
本実施の形態では、側壁部４２Ａを奥側となる側壁部４２Ｃよりも低く形成している。これにより、利用者が電子カセッテ１２を収容部４０に挿入する際に側壁部４２Ａ側から挿入しやすくなる。なお、側壁部４２Ａ、４２Ｃを同じ高さとしてもよい。
【００３６】
収容装置１８は、側壁部４２Ａ〜４２Ｄの収容部４０側の内側面４６Ａ〜４６Ｄ、収容部４０の底面４４、側壁部４２Ａの上面４８Ａに導電性の保護部材５０を設けている。なお、図４では、保護部材５０を設けた領域を斜線で示している。
【００３７】
この導電性の保護部材５０としては、例えば、導電性のゴム、導電性のエラストマー、導電性のプラスチックなどを挙げることができる。この保護部材５０は、体積固有抵抗値が１０12Ω・ｃｍ以下であればよく、導体（体積固有抵抗値が０Ω・ｃｍ）も含まれる。好ましくは１０11Ω・ｃｍ以下、より好ましくは１０10Ω・ｃｍ以下の材料により形成する。
【００３８】
また、収容装置１８は、側壁部４２Ａの収容部４０側の角部５２ＡをＣ面取りしている。なお、角部５２Ａの面取りは、Ｒ面取りとしてもよい。
【００３９】
次に、本実施の形態に係る収容装置１８の作用について説明する。
【００４０】
電子カセッテ１２は、充電を行う場合や保管する場合、利用者によって、図６に示すように、収容装置１８の収容部４０に挿入される。
【００４１】
収容装置１８は、図４に示すように、収容部４０に挿入される電子カセッテ１２が上空を通過する側壁部４２Ａの上面４８Ａに保護部材５０が設けられており、さらに、側壁部４２Ａの収容部４０側の角部５２ＡがＣ面取りされている。これにより、収容部４０に挿入される電子カセッテ１２が誤って上面４８Ａに接触した場合でも電子カセッテ１２が傷つくことを抑制することができる。
【００４２】
また、収容装置１８は、収容部４０に収納した状態で電子カセッテ１２と対向する、側壁部４２Ａ〜４２Ｄの収容部４０側の内側面４６Ａ〜４６Ｄ、収容部４０の底面４４に保護部材５０が設けられている。これにより、収容部４０に収容された電子カセッテ１２が内側面４６Ａ〜４６Ｄや収容部４０の底面４４と接触した場合でも、電子カセッテ１２が収容装置１８が傷つくことを防止できる。
【００４３】
ここで、電子カセッテ１２を傷から保護しようとした場合、電子カセッテ１２側に保護部材を設けることも考えられるが、電子カセッテ１２の照射面２２や裏面２３に保護部材を設けた場合、電子カセッテ１２自体の厚みが増し、電子カセッテ１２の側面に保護部材を設けた場合、電子カセッテ１２を患者の下部に挿入して撮影を行う際に電子カセッテ１２の滑りが悪くなるため、扱いづらくなる。このため、収容装置１８に保護部材５０を設けて電子カセッテ１２を傷から保護する方が好ましい。
【００４４】
さらに、収容装置１８は、保護部材５０が導電性を有するものとしている。これにより、電子カセッテ１２が帯電している場合でも保護部材５０と接触して緩やかに放電が行われるため、サージを防止することができる。
【００４５】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００４６】
例えば、上記実施の形態では、側壁部４２Ａの上面４８Ａにのみ導電性の保護部材５０を設けた場合について説明したが、本発明はこれに限定されるものではない。例えば、側壁部４２Ｂ〜４２Ｄについても上面４８Ｂ〜４８Ｄに導電性の保護部材５０を設けてもよい。
【００４７】
また、上記実施の形態では、側壁部４２Ａの収容部４０側の角部５２Ａのみを面取りした場合について説明したが、本発明はこれに限定されるものではない。例えば、側壁部４２Ｂ〜４２Ｄについても収容部４０側の角部を面取りしてもよい。
【００４８】
また、上記実施の形態では、電子カセッテ１２は、収容装置１８に収容された状態で収容装置１８との間で電磁誘導を利用して非接触での充電が可能とされている場合について説明したが、本発明はこれに限定されるものではない。例えば、電子カセッテ１２と収容装置１８の底面４４にそれぞれ端子を設けて端子を接触させて充電を行うものとしてもよい。この場合、図７に示すように、端子６０の接触部分の周囲を保護部材５０で囲むようにすることにより、サージを防止することができる。
【００４９】
また、例えば、図８に示すように、電子カセッテ１２に対してバッテリ８０を着脱可能とした場合、バッテリ８０を収容するバッテリ収容部８２の入り口付近やバッテリ収容部８２内のバッテリ８０が内部へ案内するレール８４などの系合部に導電性部材を設けることが好ましい。これにより、バッテリ８０をバッテリ収容部８２に挿入する際のサージを防止することができる。
【００５０】
また、収容装置１８の収容部４０の入口部分に除電ブラシや除電ローラを設けて除電を行うものとしてもよい。図９では、例えば、収容装置１８の収容部４０の入口部分に、収容部４０へ挿入される電子カセッテ１２と接触するように除電ブラシ９０を設けている。
【００５１】
この除電ブラシ９０は、図１０に示すようにローラ形状としてもよい。また、除電ブラシや除電ローラは収容部４０の側面を構成する側壁部４２の収容部４０側の角部に設けてもよい。図１０では、側壁部４２Ａの収容部４０側の角部５２Ａにローラ形状の除電ブラシ９０を設けている。この除電ブラシ９０は、回転軸９０Ａの両端が側壁部４２Ａから収容部４０側に突出した不図示の支持部に回転可能に保持されている。この除電ブラシ９０は、支持部に着脱可能することにより、劣化した際に交換することができる。
【００５２】
また、除電ブラシや除電ローラは収容部に収容される電子カセッテを両側から接触するように設けてもよい。図１１には、側壁部４２Ａ、４２Ｃにそれぞれ除電ブラシ９０を設けて収容部４０に収容される電子カセッテ１２を両側から接触している。
【００５３】
また、例えば、電子カセッテ１２を、電子カセッテ１２を保護するための保護ケース（所謂、ジャケット）にセットして使用する場合、保護ケースの電子カセッテ１２との系合部に導電性部材を設けることが好ましい。これにより、電子カセッテ１２を保護ケースに挿入する際のサージを防止することができる。
【００５４】
また、上記実施の形態では、放射線としてＸ線を検出することにより放射線画像を撮影する放射線撮影装置に本発明を適用した場合について説明したが、本発明はこれに限定されるものではない。例えば、検出対象とする放射線は、Ｘ線の他、ガンマ線、粒子線等いずれであってもよい。
【００５５】
その他、上記実施の形態で説明した構成は一例であり、本発明の主旨を逸脱しない範囲内において、不要な部分を削除したり、新たな部分を追加したり、接続状態等を変更したりすることができることは言うまでもない。
【符号の説明】
【００５６】
１２    電子カセッテ
１８    収容装置
４０    収容部
４２Ａ〜４２Ｄ  側壁部
４４    底面
４６Ａ〜４６Ｄ  内側面
４８Ａ〜４８Ｄ  上面
５０    保護部材
５２Ａ  角部
【図１】
2012048161.tif 000003
【図２】
2012048161.tif 000004
【図３】
2012048161.tif 000005
【図４】
2012048161.tif 000006
【図５】
2012048161.tif 000007
【図６】
2012048161.tif 000008
【図７】
2012048161.tif 000009
【図８】
2012048161.tif 000010
【図９】
2012048161.tif 000011
【図１０】
2012048161.tif 000012
【図１１】
2012048161.tif 000013